(57)【要約】【課題】中枠に対する前枠の組み付け作業性を向上し得る遊技機を提供する。【解決手段】遊技盤を保持するための中枠２１と、中枠２１の前側に開閉自在に配置され、閉成時に遊技盤を被覆する前枠５５とを備え、中枠２１に、第２軸孔を有する水平片部３３を水平に延出させた第１の連結金具３１を設けると共に、前枠５５に、第２軸孔に挿脱可能に挿入し得る軸部を設ける。そして、前記水平片部３３に当接的に位置すると共に、第２軸孔に対応する位置から外方端縁まで延在するガイド溝５１ａを開設したガイド板５１を設け、該ガイド溝５１ａに沿って軸部を案内することで、軸部の第２軸孔に対する挿入を容易になし得るようにした。【選択図】図１
2005081006.tif 000002
【特許請求の範囲】
【請求項１】
遊技盤を保持するための中枠と、前記中枠の前側に開閉自在に配置され、閉成時に前記遊技盤を被覆する前枠と、前記中枠に設けられ、軸孔を有する支持板を水平に延出させた支持部材と、前記前枠に設けられ、前記軸孔に挿脱可能に挿入されて該前枠を前記中枠に枢支する軸部とからなる遊技機において、
前記中枠に前記支持部材と共に配設され、前記支持板に当接的に位置するガイド板と、
前記ガイド板に開設され、前記支持部材の軸孔に対応する位置から外方端縁まで延在するガイド溝とからなり、
前記軸部を前記ガイド溝に沿って案内することで、該軸孔の軸部に対する挿入を容易になし得るよう構成した
ことを特徴とする遊技機。
【請求項２】
前記ガイド溝は、前記ガイド板の外方端縁に向けて拡開状に形成され、広角な範囲から前記軸部を軸孔に案内し得るようになっている請求項１記載の遊技機。
【請求項３】
前記ガイド板は、前記中枠に固定される取付部の一方の端縁に折り曲げ形成されると共に、該取付部の他方の端縁には折曲部が形成される請求項１または２記載の遊技機。
【請求項４】
前記取付部の厚み寸法に略合致する凹部を前記中枠の前面に形成し、該凹部に前記取付部を配置した状態で、該取付部を前記中枠とで挟持するように前記支持部材を中枠に固定するよう構成した請求項３記載の遊技機。
【請求項５】
前記取付部の左右の幅寸法を、前記支持部材の左右の幅寸法より小さく設定した請求項４記載の遊技機。
【請求項６】
前記支持部材は金属製であって、該支持部材の配置位置に対応する前記中枠の裏面に配設した金属補強板と、当該支持部材とを固定具で連結固定するようにした請求項１〜５の何れかに記載の遊技機。
【発明の詳細な説明】
【技術分野】
【０００１】
本発明は、前枠に設けた軸部を中枠に設けた軸孔に挿入することで、該前枠を中枠に枢支するよう構成した遊技機に関するものである。
【背景技術】
【０００２】
パチンコ機やアレンジボール機等の遊技機では、外郭をなす外枠に対し、着脱および開閉可能に中枠が組み付けられると共に、該中枠に開設した保持部を介して所要の遊技領域を画成した遊技盤が保持されている。前記遊技盤には、図柄を可変表示し得る図柄表示装置や、該図柄表示装置の変動開始条件としての始動入賞具が配設されて、前記遊技領域に打ち出されたパチンコ球が前記始動入賞具に入球することにより、図柄表示装置の図柄を可変表示して所要の遊技演出を行なうよう構成される。また、前記中枠の前側には、ガラス板を備えた前枠が開閉自在に枢支され、該前枠を中枠に対して閉成した際に、該ガラス板を介して前記遊技盤の遊技領域を前側から視認し得るようになっている。
【０００３】
ここで、前記前枠を前記中枠に枢支する構成としては、中枠における左側部の上端部に、下方に開口する軸孔を備えた上支持受具(支持部材)を配設し、該中枠の左側部において該上支持受具から下方に所要距離離間する位置に上方に延出する軸部を備えた下支持受具を配設する。一方、前記前枠における左側部の上端部に、上下変位可能な可動軸を設け、該前枠における左側部の下端部に、上下に貫通する軸孔を備えた下支持具を配設する。そして、前記中枠における前記下支持受具の軸部に、前記前枠における前記下支持具の軸孔を上方から整合させたもとで該軸部を軸孔へ嵌挿し、次いで前枠側の可動軸を下方へ押し下げた状態で、該可動軸の端部を中枠における前記上支持受具の軸孔に整合させ、該可動軸に対する押圧を解除して該軸部を軸孔に突入させることで、前枠を中枠に対して開閉可能に組み付ける構成が提案されている(例えば、特許文献１参照)。
【特許文献１】特開２０００−３０８７４１号公報
【発明の開示】
【発明が解決しようとする課題】
【０００４】
ところで、前記中枠に対し前記前枠を組み付けるに際しては、作業者は中枠に設けた前記下支持受具の軸部を目視しながら、前枠に設けた前記下支持具の軸孔を上下に整合することができるから、前枠の下部側は比較的容易に組み付けることができる。これに対し、中枠に設けた前記上支持受具の軸孔は下方に開口しているため、前記前枠の上部側を前記中枠に組み付けるに際して軸孔を作業者から目視できない。このため、前枠の上部側を前記中枠に組み付けるに際しては、作業者の経験や勘に頼って作業するほかなく、作業効率が劣ることとなっている。なお、前枠の上部側を前記中枠に組み付けるに際して作業者が前記上支持受具の軸孔を下側から覗き込み、該軸孔の位置を確認することも可能であるが、前枠は前記ガラス板やその他ランプ等が取り付けられた比較的重量物であるため、バランスを崩して前枠を転倒等させてしまう畏れがある。
そこで、本発明は、中枠に対する前枠の組み付け作業性を向上し得る遊技機を提供することを目的とする。
【課題を解決するための手段】
【０００５】
前記課題を克服し、所期の目的を達成するために、本願発明に係る遊技機は、
遊技盤を保持するための中枠(21)と、前記中枠(21)の前側に開閉自在に配置され、閉成時に前記遊技盤を被覆する前枠(55)と、前記中枠(21)に設けられ、軸孔(34a)を有する支持板(33)を水平に延出させた支持部材(31)と、前記前枠(55)に設けられ、前記軸孔(34a)に挿脱可能に挿入されて該前枠(55)を前記中枠(21)に枢支する軸部(56a)とからなる遊技機において、
前記中枠(21)に前記支持部材(31)と共に配設され、前記支持板(33)に当接的に位置するガイド板(51)と、
前記ガイド板(51)に開設され、前記支持部材(31)の軸孔(34a)に対応する位置から外方端縁まで延在するガイド溝(51a)とからなり、
前記軸部(56a)を前記ガイド溝(51a)に沿って案内することで、該軸孔(34a)の軸部(56a)に対する挿入を容易になし得るよう構成したことを特徴とする。
【０００６】
また、前記ガイド溝(51a)を、前記ガイド板(51)の外方端縁に向けて拡開状に形成し、広角な範囲から前記軸部(56a)を軸孔(34a)に案内し得るよう構成してもよい。
【０００７】
更に、前記ガイド板(51)を、前記中枠(21)に固定される取付部(52)の一方の端縁に折り曲げ形成すると共に、該取付部(52)の他方の端縁に折曲部(53)を形成することもできる。
【０００８】
更にまた、前記取付部(52)の厚み寸法に略合致する凹部(24)を前記中枠(21)の前面に形成し、該凹部(24)に前記取付部(52)を配置した状態で、該取付部(52)を前記中枠(21)とで挟持するように前記支持部材(31)を中枠(21)に固定することも可能である。
【０００９】
なお、前記取付部(52)の左右の幅寸法を、前記支持部材(31)の左右の幅寸法より小さく設定してもよい。
【００１０】
そして、前記支持部材(31)は金属製であって、該支持部材(31)の配置位置に対応する前記中枠(21)の裏面に配設した金属補強板(49)と、当該支持部材(31)とを固定具(40)で連結固定するようにしてもよい。
【発明の効果】
【００１１】
本発明の請求項１に係る遊技機によれば、前枠の軸部をガイド板のガイド溝に沿って案内することで、該軸部を中枠の軸孔に容易に挿入し得るようにしたから、軸部と軸孔とを整合させる必要がなくなるので、中枠に対する前枠の組み付け作業性が向上される。また、請求項２に係る遊技機によれば、前記ガイド溝を、前記ガイド板の外方端縁に向けて拡開状に形成することで、広角な範囲から前枠の軸部を該ガイド溝に挿入して軸孔に向け案内し得る。更に、請求項３に係る遊技機によれば、中枠に取り付ける取付部の一方の端縁にガイド板を設け、該取付部の他方の端縁に折曲部を形成して剛性を高めるようにしたから、遊技機の運搬時や前枠の組み付け作業時等に、該ガイド板が損傷するのは防止し得る。
【００１２】
そして、請求項４に係る遊技機によれば、前記中枠に形成した凹部に、前記取付部を整合することで、ガイド板を位置決めすることができ、組み付け作業をより簡単に行ない得るようになる。また、前記取付部の厚み寸法に略合致する凹部を中枠に形成することで、取付部をガタツクことなく前記中枠に配設することができる。また、請求項５に係る遊技機によれば、前記取付部の左右方向の幅寸法を、前記支持部材より左右の幅寸法より小さくしたから、遊技機全体のコストの低減を図り得る。更に、請求項６に係る遊技機によれば、前記中枠の裏側に配設した金属補強板と金属製の前記支持部材とを固定することで、両部材を強固に固定し得る。従って、前記支持部材およびガイド板の夫々にガタツキが生ずるのは防止されるから、前記ガイド溝に前記前枠の軸部を簡単に挿入することができる。なお、金属補強板を配設することで、前記中枠に反りや捻れ等が生ずるのは防止される。
【発明を実施するための最良の形態】
【００１３】
次に本発明に係る遊技機につき、好適な実施例を挙げて、添付図面を参照しながら以下詳細に説明する。なお本実施例では、遊技機として、パチンコ球を遊技媒体として使用する一般的なパチンコ機を例にして説明する。なお、以下の説明において左・右とは、特に断りのない限り、図２に示すようにパチンコ機１０を正面から見た状態において指称するものとする。
【実施例】
【００１４】
(パチンコ機について)
本実施例のパチンコ機１０は、その基本的構成の概要として図２または図３に略示するように、上下および左右の４本の枠部材１２,１３,１４,１５が枠組み連結されて外郭をなす外枠１１が構成され、該外枠１１の開口前面側に、各種の部品５５,６０,６１,６３をセットする縦長方形の中枠２１が、連結支持手段１７および施錠手段２０を利用して横開き形態で開閉および着脱可能に組み付けられている。そして、この中枠２１の前面側に、遊技盤(図示せず)の透視保護窓である前枠５５と、パチンコ球を貯留する上球皿６０とが横開き形態で開閉可能に組み付け整合される。また、中枠２１における上球皿６０の配設位置より下部前面側に下球皿６１および打球発射装置における打球操作部６３等が装着セットされ、更に中枠２１の裏側に各種の球経路および球処理・払出部等を備えた機構セット盤(図示せず)がセットされ、これにより一台のパチンコ機１０が形成される。
【００１５】
(外枠について)
図３に示すように、前記外枠１１の上枠部材１２には、前記第１の連結支持手段１７を構成する上支持受具１２ａが配設されており、該上支持受具１２ａに下向きに形成した上支軸１２ｂを、前記中枠２１に配設した第１の連結金具３１(後述)の第１軸孔３５ａに挿通するようになっている。同様に、前記外枠１１の下枠部材１３には、前記第１の連結支持手段１７を構成する下支持受具１３ａが配設されており、該下支持受具１３ａに上向きに形成した下支軸１３ｂを、前記中枠２１に配設した後述する第２の連結金具４１の軸孔４３ａに挿通するよう構成される。
【００１６】
(中枠について)
前記中枠２１は、全体が合成樹脂により前記外枠１１の開口領域に整合する外形サイズに成形されて、図４に示すように、遊技盤を保持する遊技盤保持部２３を開設した枠本体２２と、該遊技盤保持部２３の下部に設けられて前記上球皿６０が組み付けられる遊技補助盤２７と、該遊技補助盤２７の下部に位置して下球皿６１が組み付けられる設置盤２８とから構成される。そして、前記中枠２１(枠本体２２)の前面における左上端部に前記第１の連結金具(支持部材)３１が配設されると共に、該中枠２１(設置盤２８)の前面における左下端部に前記第２の連結金具４１が配設されている。また、前記中枠２１の前面における前記遊技補助盤２７の左側部には、前記前枠５５の下端部および前記上球皿６０を開閉自在に枢支する第３の連結金具４４が配置される。なお、前記中枠２１における左側部側の裏側には、その上下方向の略全長に亘って延在する金属補強板４９(図１参照)を配設してある。
【００１７】
(前枠について)
前記前枠５５は、図５に示すように、その左上端部(図５においては右上端部)に、上下方向にスライド変位可能な可動軸５６が配設されると共に、左下端部(図５においては右下端部)に、下方に開口して後述する第１支軸４６ａを挿入する軸孔５７が形成されている。前記可動軸５６は、前記第１の連結金具３１に形成した前記第２軸孔３４ａ(後述)に挿入可能な軸部５６ａと、指先操作により軸部５６ａを上下方向にスライドさせ得る係止部５６ｂとから略Ｌ字状に形成される。また、前記前枠５５の裏面の所要位置と係止部５６ｂとは、前記可動軸５６を上方へ付勢する引張りコイルバネ５８(図５参照)が接続されて、引張りコイルバネ５８の弾性力により、常には前記軸部５６ａが前枠５５の上端から突出した状態で保持される。そして、前記係止部５６ｂを下方に押圧操作することで、前記引張りコイルバネ５８の弾性力に抗して軸部５６ａを下方にスライドし、前記前枠５５の内側に収容し得るよう構成されている。なお、前記可動軸５６は、前記軸部５６ａを前記第２軸孔３４ａに挿入した際には、前記引張りコイルバネ５８により前記軸部５６ａの上端部が、後述する仕切板３８に圧接するよう設定される。
【００１８】
(第１の連結金具について)
図１に示すように、前記第１の連結金具３１は、前記中枠２１(枠本体２２)に当接し、後述するガイド部材５０を中枠２１との間で挟持する取付面３２と、該取付面３２の上端縁から前方に折り曲げ形成された水平片部(支持板)３３とから略Ｌ字状に成形されている。なお、図５または図７に示すように、前記取付面３２は、前記水平片部３３の右端縁からその略中央位置まで延在するよう設定してある。
【００１９】
ここで、前記水平片部３３の前縁左側には半円庇状の受け片部３４が水平前向きに延出形成され(図６参照)、この受け片部３４の上面前側に、前記上支軸１２ｂを挿入し得る前記第１軸孔３５ａを上方および後方に開口させた軸受片３５が強固にカシメ固定されている。また、前記受け片部３４の所要位置には、上下方向に貫通して前記前枠５５に配設した前記可動軸５６の軸部５６ａを挿脱可能な前記第２軸孔３４ａを穿設してある。なお、前記受け片部３４の上面側には、該受け片部３４に略整合する大きさおよび形状に設定した仕切板３８が配置されて、前記第２軸孔３４ａの上部開口を該仕切板３８で遮蔽するよう構成している。すなわち、前記第２軸孔３４ａに挿入した可動軸５６の軸部５６ａが、受け片部３４の上面側に突出しないようになっている。なお、前記仕切板３８の右側部側には、上方に向けて規制片３８ａが折り曲げ形成されている。
【００２０】
また、図６に示すように、前記水平片部３３の所定位置に垂立固定した支ピン３６に、ハンドルレバー形式の開閉部材３７が枢支されており、該開閉部材３７に形成した円弧状の開閉面３７ａが前記第１軸孔３５ａの後方開口を開閉するよう構成される。ここで、前記開閉部材３７は、前記規制片３８ａと対応する位置に、該規制片３８ａを挿入し得る円弧状の案内孔３７ｂが開設されており、該案内孔３７ｂの端部に規制片３８ａが当接する範囲で、開閉部材３７が回動し得るようになっている。また、前記支ピン３６には、一端を前記規制片３８ａに係止すると共に、他端を前記開閉部材３７に係止したねじりバネ３９が取り付けられており、ねじりバネ３９の弾性力により、前記開閉部材３７は、常には前記第１軸孔３５ａの後方開口を前記開閉面３７ａで閉成した閉鎖位置に保持され(図８(a),(c)参照)、開閉部材３７の回動によりねじりバネ３９の弾性力に抗して開閉面３７ａが第１軸孔３５ａの後方開口を開放する開放位置に変位する(図８(b)参照)。
【００２１】
そして、前記開閉部材３７の左外側縁には、前記外枠１１の上支軸１２ｂを当接案内し得る円弧状の案内面３７ｃが形成されており、中枠２１の外枠１１への組み付けに際し、該上支軸１２ｂに案内面３７ｃを押圧するよう該中枠２１を外枠１１に近接することで(図８(a)〜(c)参照)、前記開閉部材３７が、前記閉鎖位置から開放位置に変位して上支軸１２ｂが第１軸孔３５ａに挿入される(図８(b),(c)参照)。このように、前記第１の連結金具３１は、前記外枠１１に対し前記中枠２１を枢支する前記連結支持手段１７として機能している。
【００２２】
また、前記取付面３２には、図１または図７に示すように、左右方向に所要間隔離間する位置に前後に貫通する第１の通孔３２ａ,３２ａが穿設される一方、前記中枠２１(枠本体２２)の左上端部には、該第１の通孔３２ａ,３２ａと対応する位置に、前後方向に貫通する貫通孔２２ｂ,２２ｂを穿設してある。なお、前記中枠２１(枠本体２２)の左上端部には、前記取付面３２に略整合する前記段部２２ａ(図１参照)が凹設されており、該段部２２ａに取付面３２を整合した際に、前記各第１の通孔３２ａと各貫通孔２２ｂとが前後に整列するよう設定される。そして、前記第１の連結金具３１の前側から前記第１の通孔３２ａ,３２ａおよび前記貫通孔２２ｂ,２２ｂの夫々に挿通した金属製の皿ネジ(固定具)４０,４０を、前記金属補強板４９に形成したネジ孔４９ａ,４９ａ(図１参照)に螺挿することで、第１の連結金具３１が中枠２１の左上端部に固定される。また、前記各第１の通孔３２ａの前縁には、図５または図７に示すように、前記皿ネジ４０の頭部４０ａが整合する凹面３２ｂが形成されており、該皿ネジ４０をネジ孔４９ａに完全に螺挿した際に、前記取付面３２より前側に皿ネジ４０の頭部４０ａが突出しないよう構成してある。
【００２３】
(ガイド部材について)
前記ガイド部材５０は、図１または図９に示すように、前記中枠２１(枠本体２２)に当接する取付部５２と、該取付部５２の左側上端縁に折り曲げ形成されて、前記受け片部３４の下面に当接するガイド板５１とから基本的に構成されている。ここで、前記ガイド板５１は、前記受け片部３４の下面に整合する大きさに設定されると共に、該受け片部３４に形成した前記第２軸孔３４ａに対応する位置から、該ガイド板５１における右前方側の外方端縁まで延在するガイド溝５１ａが形成されて、前記前枠５５の可動軸５６をガイド溝５１ａに沿って第２軸孔３４ａに案内し得るようになっている。なお、前記ガイド溝５１ａは、前記ガイド板５１の外方端縁に向かうにつれて拡開状に形成され、該ガイド溝５１ａに前記可動軸５６を受け入れ易く構成してある。
【００２４】
また、前記取付部５２は、前記水平片部３３の左端縁から、前記取付面３２に穿設した左側に位置する第１の通孔３２ａと前後に重なる位置まで延在するよう形成されている(図５参照)。すなわち、前記取付部５２の左右方向の幅寸法は、前記第１の連結金具３１における前記水平片部３３の左右方向の幅寸法より小さく設定してある。そして、前記取付部５２における、前記左側の第１の通孔３２ａと整列する位置に、前後に貫通する第２の通孔５２ａが穿設され、該第１の通孔３２ａに挿通した前記皿ネジ４０を、該第２の通孔５２ａに挿通したもとで前記ネジ孔４９ａに螺挿するようになっている。また、前記第２の通孔５２ａの形成位置から所要距離だけ左方向に離間した位置には、後述の位置決め突部２４ａを挿入する位置決め孔５２ｂが穿設されている。
【００２５】
図１に示すように、前記枠本体２２に形成した前記段部２２ａには、前記取付部５２の厚み寸法に略合致する凹部２４が形成されており、該段部２２ａに前記ガイド部材５０の取付部５２を配置した際に、当該取付部５２の前面が、段部２２ａの前面と略同一の高さ位置となるよう設定されている。また、前記凹部２４には、前記取付部５２の位置決め孔５２ｂに挿入可能な位置決め突部２４ａが前方に向けて突設されており、該位置決め突部２４ａに前記位置決め孔５２ｂを挿通した際に、前記貫通孔２２ｂと前記第２の通孔５２ａとが前後に整列するようになっている。なお、前記取付部５２の下端縁には、前方に向けて折り曲げた折曲部５３が形成されており、前記位置決め突部２４ａを位置決め孔５２ｂに挿通した際に、該折曲部５３が前記凹部２４の下面２４ｂ(図１参照)に当接して、前記第２の通孔５２ａおよび貫通孔２２ｂの夫々が前後に整列した状態でガイド部材５０を位置決めし得るようになっている。すなわち、前記折曲部５３は、前記ガイド部材５０の剛性を向上すると共に、ガイド部材５０を組み付ける際の支持台として機能するよう構成される。
【００２６】
(第２の連結金具について)
前記第２の連結金具４１は、図４に示すように、前記中枠２１(設置盤２８)に当接する取付面４２と、該取付面４２の下端縁から前方に水平に延出する水平片部４３とから略Ｌ字状に形成されて、該水平片部４３に穿設された前記軸孔４３ａに、前記外枠１１の下支軸１３ｂを挿通することで外枠１１に対し中枠２１を枢支している。すなわち、前記外枠１１に形成した前記下支軸１３ｂを前記第２の連結金具４１に形成した軸孔４３ａに挿入した状態で、該外枠１１に形成した前記上支軸１２ｂを前記第１の連結金具３１に形成した第１軸孔３５ａに挿入することにより、中枠２１が外枠１１に対し開閉し得るようになっている。ここで、第２の連結金具４１の軸孔４３ａに下支軸１３ｂを挿入した状態では、前記外枠１１を基準に観て、前記中枠２１を左寄り手前寄りおよび右寄りの広範囲内での起立姿勢に適宜傾き(１０度以上)で支持し得るよう設定され、この状態で前記第１の連結金具３１の案内面３７ｃを前記上支軸１２ｂに押圧して前記第１軸孔３５ａに上支軸１２ｂを挿入することにより、両部材１１,２１が組み付けられる。なお、前記第２の連結金具４１は、前記皿ネジ４０を介して前記金属補強板４９に連結固定するよう構成されている。
【００２７】
(第３の連結金具について)
前記第３の連結金具４４は、図４に示すように、前記中枠２１(遊技補助盤２７)に当接する取付面４５と、該取付面４５の上端縁から前方に向けて延出する上支持片４６と、取付面４５の下端縁から前方に向けて延出する下支持片４７とから断面略コ字状に形成されている。また、前記上支持片４６には、上方に向けて突出して前記前枠５５の左下端部を枢支する第１支軸４６ａと、下方に向けて垂下して上球皿６０の左上端部に設けた軸孔(図示せず)に挿入される第２支軸４６ｂとが夫々形成され(図４または図５参照)、前記下支持片４７には、上下方向に貫通して該上球皿６０の左下端部に設けた支軸(図示せず)を挿通する軸孔４７ａが形成されている。すなわち、前記第３の連結金具４４は、前記上球皿６０を枢支すると共に、前記前枠５５の下部側を枢支している。なお、前記第３の連結金具４４は、前記皿ネジ４０を介して前記金属補強板４９に連結固定するよう構成されている。
【００２８】
〔実施例の作用〕
次に、本実施例に係る遊技機の作用につき説明する。
【００２９】
前記中枠２１の左側部に配設した前記第３の連結金具４４の第１支軸４６ａを、前記前枠５５の左下端部に形成した軸孔５７に挿通して該前枠５５の下端部を枢支すると共に、該前枠５５の左上端部に配設した前記可動軸５６の前記係止部５６ｂを下方に押圧操作して、前記引張りコイルバネ５８の弾性力に抗して軸部５６ａを下方にスライドさせ、この状態で中枠２１の左上端部に配設した前記ガイド部材５０のガイド溝５１ａに軸部５６ａを臨ませる。そして、係止部５６ｂの下方への押圧操作を解除したもとで、前記前枠５５の左上端部を前記中枠２１に近接する方向に移動することにより、該軸部５６ａは前記ガイド溝５１ａに沿って前記第１の連結金具３１に形成した前記第２軸孔３４ａに向けて案内され、該第２軸孔３４ａと上下に整列する位置まで到来すると、前記引張りコイルバネ５８の弾性力により軸部５６ａが第２軸孔３４ａに挿入する。
【００３０】
このように、作業者は前記中枠２１(第３の連結金具４４)の第１支軸４６ａを目視しながら前枠５５の前記軸孔５７を整合することができるから、前枠５５の下部側を容易に組み付けることができる。また、前記前枠５５の上部側に関しても、前枠５５の軸部５６ａを前記ガイド溝５１ａに沿って中枠２１(第１の連結金具３１)の前記第２軸孔３４ａに向けて案内するようにしたことで、従来のように、該軸部５６ａと第２軸孔３４ａとを直接整合させることなく、軸部５６ａを第２軸孔３４ａに容易に挿入でき、中枠２１に対する前枠５５の組み付け作業性が向上される。なお、前記ガイド部材５０に折曲部５３を一体的に折曲形成したから、該ガイド部材５０の剛性を向上して、パチンコ機１０の運搬時や前枠５５の組み付け作業時等に、該ガイド部材５０が損傷するのは防止される。
【００３１】
また、前記ガイド部材５０のガイド板５１を前記第１の連結金具３１の受け片部３４と略整合する大きさに形成したから、該ガイド板５１の外方端縁を前側から視認することができる(図４参照)。すなわち、前記ガイド板５１に形成したガイド溝５１ａと対応する位置のみが、切り欠かれたように見えるため、作業者はガイド溝５１ａの形成位置を容易に認識することができ、該ガイド溝５１ａに前記軸部５６ａを臨ませる作業が煩雑になることはない。従って、前記ガイド溝５１ａの形成位置を確かめるために、前記第１の連結金具３１を作業者が下側から覗き込んで確認する必要がなく、作業時にバランスを崩して前枠５５を転倒等させるのは防止される。
【００３２】
更に、前記ガイド溝５１ａを、前記ガイド板５１の外方端縁に向けて拡開状に形成するようにしたから、広角な範囲から前枠５５の軸部５６ａを該ガイド溝５１ａに進入させることができる。すなわち、前記ガイド溝５１ａを前記軸部５６ａの直径寸法と同等の幅で形成した場合では、該ガイド溝５１ａに対して軸部５６ａを正確に整合する必要があるが、実施例の構成では、両者５１ａ,５６ａを正確に整合することなく該ガイド溝５１ａに軸部５６ａを容易に挿入することができるから、組み付け作業に要する時間を短縮し得る。
【００３３】
また、前記中枠２１に形成した前記凹部２４の位置決め突部２４ａを前記ガイド部材５０の取付部５２に形成した位置決め孔５２ｂに挿通し、該取付部５２を凹部２４に整合することで、取付部５２における第２の通孔５２ａが中枠２１の貫通孔２２ｂと前後に整列される。更に、前記中枠２１に形成した段部２２ａに前記第１の連結金具３１の取付面３２を整合することで、該取付面３２における第１の通孔３２ａ,３２ａが、前記ガイド部材５０の第２の通孔５２ａおよび中枠２１の貫通孔２２ｂの夫々と前後に整列するよう構成してある。すなわち、前記第１の通孔３２ａ、第２の通孔５２ａおよび貫通孔２２ｂの夫々を容易に前後に整列し得るから、簡単に各孔３２ａ,５２ａ,２２ｂに前記皿ネジ４０を挿通して前記金属補強板４９のネジ孔４９ａに螺挿し得る。なお、前記ガイド部材５０は、前記位置決め突部２４ａを位置決め孔５２ｂに挿通した際に、前記折曲部５３が凹部２４の下面２４ｂに当接して前記第２の通孔５２ａおよび貫通孔２２ｂの夫々が前後に整列した状態で位置決めされるから、該ガイド部材５０を作業者が保持することなく前記第１の連結金具３１と金属補強板４９をネジ止めすることができ、組み付け作業を容易に行なえる。
【００３４】
更にまた、前記第１の連結金具３１およびガイド部材５０の夫々を、前記金属補強板４９にネジ止めすることで、樹脂製の中枠２１にネジ止めする場合に較べて両部材３１,５０を強固に固定し得る。従って、前記第１の連結金具３１およびガイド部材５０の夫々にガタツキが生ずるのは防止される。なお、樹脂製の前記中枠２１にネジ孔を形成し、該ネジ孔に前記第１の連結金具３１およびガイド部材５０の夫々をネジ止めした場合には、ネジ孔の損傷等によりネジが緩む畏れがあるが、実施例では前記金属補強板４９のネジ孔４９ａ,４９ａに皿ネジ４０,４０を螺挿したから、該ネジ孔４９ａ,４９ａの損傷による皿ネジ４０,４０の緩みは防止される。
【００３５】
また、金属補強板４９を配設したことで、前記中枠２１に反りや捻れ等が生ずるのも防止し得る。そして、皿ネジ４０を利用することで、前記第１の連結金具３１における取付面３２より前側に該ネジ４０の頭部４０ａが突出して前枠５５の組み付け作業や前枠５５の開閉動作を阻害するのは防止できる。更に、前記皿ネジ４０の頭部４０ａが前記第１通孔３２ａの凹面３２ｂに整合して位置決めし得るから、第１の連結金具３１の配置位置にズレが生ずるのを防止し得る。
【００３６】
更にまた、前記凹部２４を前記ガイド部材５０の取付部５２の厚み寸法に略合致するよう設定したことで、該凹部２４に取付部５２を整合した際に、取付部５２の前面が前記段部２２ａの前面と略同一面上に位置する。従って、前記ガイド部材５０の取付部５２を前記第１の連結金具３１と前記中枠２１との間で挟持した際に、第１の連結金具３１における取付面３２の全体が、ガイド部材５０の取付部５２の前面および段部２２ａの前面の夫々に安定的に当接するから、該第１の連結金具３１にガタツキが生ずることはない。すなわち、前記外枠１１に対して前記中枠２１を安定して枢支し得ると共に、該中枠２１に対して前枠５５も安定的に枢支し得る。このように、前記取付部５２の厚み寸法に略合致する凹部２４を形成することで、該取付部５２の一部と前記取付面３２の一部とが重なるよう構成することができる。ここで、前記中枠２１に凹部２４を形成することにより、コストの増大を招くことにもなるが、一般的に樹脂成型品である中枠２１に加工を施す際のコスト増に較べ、金属部材である前記ガイド部材５０を小さくすることによるコストの低減効果の方が大きいため、パチンコ機１０全体のコスト低減を実現し得る。
【００３７】
ところで、前記第１の連結金具３１における前記受け片部３４の下面に、前記第２軸孔３４ａと対応する位置から、該受け片部３４の外方端縁に向けて延在する溝部を直接凹設した場合にも、前記軸部５６ａを第２軸孔３４ａに案内することは可能である。しかし、前記受け片部３４には、外枠１１の上支軸１２ｂを枢支する前記第１軸孔３５ａを形成した前記軸受片３５がカシメ固定されているため、このカシメ固定の位置に溝部を形成する場合にはカシメ固定が緩む畏れがあり、前記受け片部３４への溝部の形成位置が制約される。また、受け片部３４に溝部を直接形成した場合には、該溝部の形成角度や深さを変更するに際して、前記第１の連結金具３１全体を交換する必要があるため、廃棄物やコストの増大を招くことともなる。
【００３８】
これに対し、実施例では、前記第１の連結金具３１とは別体の前記ガイド部材５０を配設するようにしたから、受け片部３４と軸受片３５とのカシメ固定位置を考慮することなく該ガイド部材５０に該ガイド溝５１ａを形成し得る利点がある。また、ガイド部材５０を別体とすることで、該ガイド部材５０を交換するだけで前記ガイド溝５１ａの形成角度を変更し得ると共に、該ガイド部材５０(ガイド板５１)の厚みを変更してガイド溝５１ａの深さを変更し得るから、廃棄物やコストを低減することができる。
【００３９】
また、前記可動軸５６を、常には前記引張りコイルバネ５８により上方に向けて付勢するよう構成し、第２軸孔３４ａに挿入された前記軸部５６ａが、該引張りコイルバネ５８の弾性力により、前記仕切板３８に圧接するよう設定してある。このため、パチンコ機１０に振動や衝撃等が加わった場合でも、前記第２軸孔３４ａから軸部５６ａが脱落することはない。なお、前記第２軸孔３４ａを、前記第１の連結金具３１の受け片部３４(水平片部３３)に上下に貫通するよう形成することで、該第２軸孔３４ａを該受け片部３４の途中位置まで形成する場合に較べて加工が容易な利点がある。また、前記第２軸孔３４ａを受け片部３４の途中位置まで形成した場合には、該第２軸孔３４ａの長さが短く(深さが浅く)なって、前記軸部５６ａが該第２軸孔３４ａから脱落する畏れもあるが、前記受け片部３４を貫通させることで、該受け片部３４の厚み寸法だけ第２軸孔３４ａを延在させ得るから、第２軸孔３４ａからの軸部５６ａの脱落を防止できる。
【００４０】
そして、前記第２軸孔３４ａの上方開口を、前記仕切板３８で閉成するよう構成したから、前記受け片部３４の上面側に前記軸部５６ａが突出するのを防止して、該軸部５６ａが前記外枠１１の上支軸１２ｂや前記開閉部材３７と干渉することはない。なお、従来は、前記開閉部材３７の回動を規制すると共に、該開閉部材３７を閉鎖位置に付勢するねじりバネ３９を係止する規制部材を設けるよう構成していたが、本実施例では同様の機能を備えた規制片３８ａを前記仕切板３８に折り曲げ形成したから、部品点数を削減してコストを低減し得る。
【００４１】
〔変更例〕
なお、遊技機の構成としては、実施例のものに限らず、種々の変更が可能である。例えば、実施例では、第１の連結金具に外枠の上支軸を枢支する第１軸孔と前枠の可動軸を枢支する第２軸孔とを形成するようにしたが、該第１軸孔と第２軸孔とを別部材に形成することも可能である。また、前記ガイド部材を、支持部材(第１の連結金具)と中枠との間に挟持するようにしたが、該ガイド部材を金属補強板や中枠に別途固定するようにしてもよい。更に、前記ガイド部材のガイド板における第２軸孔と対応する位置から、右前方側に向けてガイド溝を形成する構成に限らず、該第２軸孔と対応する位置からガイド板の外方端縁まで延在するよう形成すればよく、任意の方向に延在させ得る。
【００４２】
また、実施例では、前記ガイド部材を金属で形成するようにしたが、樹脂等で形成するようにしてもよく、その材質は所要に応じて選択することができる。そして、前記ガイド部材(ガイド板)を、支持部材の支持板と異なる色彩で形成することもでき、この場合には、ガイド溝の開口位置がより明確になるから、前枠の組み付け作業性が向上される。なお、遊技機としては、パチンコ機に限られるものではなく、アレンジボール機等であってもよく、遊技盤を保持するための中枠と、中枠の前側に開閉自在に配置されて遊技盤を被覆する前枠とを備え、中枠に形成した軸孔に挿脱自在な軸部を前枠に形成した遊技機であれば、何れの遊技機であっても採用し得る。
【図面の簡単な説明】
【００４３】
【図１】本発明の実施例に係る第１の連結金具、ガイド部材、中枠および金属補強板の夫々を分解した状態で示す斜視図である。
【図２】実施例に係るパチンコ機を示す正面図である。
【図３】実施例に係る外枠を示す正面図である。
【図４】実施例に係る中枠を示す斜視図である。
【図５】実施例に係る第１および第３連結金具と前枠の連結形態を概略で示す要部拡大図である。
【図６】実施例に係る第１の連結金具を示す平面図である。
【図７】実施例に係る第１の連結金具の一部を破断して示す正面図である。
【図８】実施例に係る第１の連結金具の開閉部材の動作を示す平面図であって、(a)は閉鎖位置に位置する開閉部材の開閉面に、外枠の上支軸が当接した状態を示し、(b)は開閉部材が開放位置に変位されて外枠の上支軸が第１軸孔に挿入される状態を示し、(c)は開閉部材が閉鎖位置に復帰し、該開閉部材の開閉面で第１軸孔に挿入された外枠の上支軸の脱落を防止した状態を示す。
【図９】実施例に係るガイド部材を示し、(a)は斜視図であり、(b)は平面図であり、(c)は正面図である。
【符号の説明】
【００４４】
２１  中枠
２４  凹部
３１  第１の連結金具(支持部材)
３３  水平片部(支持板)
３４ａ  第２軸孔(軸孔)
４０  皿ネジ(固定具)
４９  金属補強板
５１  ガイド板
５１ａ  ガイド溝
５２  取付部
５３  折曲部
５５  前枠
【図１】
2005081006.tif 000003
【図２】
2005081006.tif 000004
【図３】
2005081006.tif 000005
【図４】
2005081006.tif 000006
【図５】
2005081006.tif 000007
【図６】
2005081006.tif 000008
【図７】
2005081006.tif 000009
【図８】
2005081006.tif 000010
【図９】
2005081006.tif 000011